(57)【特許請求の範囲】
【請求項１】
直立時の重心直上に把手が位置し、把手基部が後壁に連結されており、上壁全体が前壁上部に、前記前壁上部が前壁下部に、ヒンジを介して回動自在に連結されており、前記上壁全体および前記前壁上部が前記前壁下部に寄り添う位置へ移動することにより開口を成し、開口時に前記上壁全体と前記前壁上部とが折りたたまれて重なり合う位置関係となるように前記上壁全体が移動する軌跡を定める部品を有し、前記軌跡を定める部品が側壁に対して垂直な回転軸を中心として回転することにより、前記上壁全体および前記前壁上部が前記把手を把持する手に接触しないことを特徴とする箱状の鞄。
【請求項２】
前記側壁に対して垂直な他の回転軸を中心として、前記把手が前記後壁側へ回転移動可能であることを特徴とする請求項１に記載の箱状の鞄。
【発明の詳細な説明】
【技術分野】
【０００１】  本発明は、把手を持ち替えることなく開閉できる鞄に関する。
【背景技術】
【０００２】  鞄に望まれる機能として、被収納物を変形や破損から保護する丈夫さを有し、置き場所の占有面積が少なく、被収納物の出し入れが容易であることが挙げられる。これらを満たすためには、箱状の構造を持ち、直立した状態で上壁から前壁上部にわたって開口し、手で拡げたり抑えたりすることなく開口形状が維持されることが望ましい。これに該当するものとして、フライトケースと呼ばれるものがある。【０００３】  鞄に望まれる別の機能として、歩行している時や立ち止まっている時、素早く安定的な姿勢で、被収納物を容易に出し入れできることも挙げられる。これを満たすためには、把手を持ち替えることなく開閉できることが望ましい。しかし、フライトケースはこの条件を満たしていない。
【発明の概要】
【発明が解決しようとする課題】
【０００４】  本発明が解決しようとする課題は、箱状の構造を持ち、直立した状態で上壁から前壁上部にわたって開口し、手で拡げたり抑えたりすることなく開口形状が維持され、把手を持ち替えることなく開閉できる鞄を提供することである。
【課題を解決するための手段】
【０００５】  本発明は、箱状の鞄において、直立時の重心直上に把手が位置し、把手基部が後壁または側壁に連結されており、上壁全体および前壁上部が前壁下部に寄り添う位置へ移動することにより開口を成し、その移動が把手を把持する手によって妨げられないことを特徴とする。【０００６】  また、追加的手段により、開閉動作がより安定的になる。その手段は、上壁が移動する軌跡を定める部品を設けることである。【０００７】  また、別の追加的手段により、把手を把持して吊り下げていない時には、より大きな開口が得られ、被収納物の出し入れがさらに容易になる。その手段は、開口をより大きくする位置へ把手が移動可能であるようにすることである。
【発明の効果】
【０００８】  本発明により、箱状の構造を持ち、直立した状態で上壁から前壁上部にわたって開口し、手で拡げたり抑えたりすることなく開口形状が維持され、把手を持ち替えることなく開閉できる鞄が提供可能となる。【０００９】  また、追加的手段により、開閉動作がより安定的になる。【００１０】  また、別の追加的手段により、把手を把持して吊り下げていない時には、より大きな開口が得られ、被収納物の出し入れがさらに容易になる。
【図面の簡単な説明】
【００１１】
【図１】  本発明の最も主要な特徴を示す形態（実施例１）の説明図である。開閉途中の状態を示す。
【図２】  本発明の最も主要な特徴を示す形態（実施例１）の説明図である。閉口時の状態を示す。
【図３】  本発明の最も主要な特徴を示す形態（実施例１）の説明図である。開口時の状態を示す。
【図４】  上壁が移動する軌跡を定める部品を有する形態（実施例２）の説明図である。開閉途中の状態を示す。
【図５】  上壁が移動する軌跡を定める部品を有する形態（実施例２）の説明図である。開口時の状態を示す。
【図６】  開口をより大きくする位置へ把手が移動可能である形態（実施例３）の説明図である。把手を後壁側へ移動させた状態を示す。
【発明を実施するための形態】
【００１２】  以下、本発明を実施するための形態について説明する。
【実施例１】
【００１３】  本発明の最も主要な特徴を示す形態の実施例を図１から図３に示す。図１は開閉途中、図２は閉口時、図３は開口時の状態を示す。【００１４】  閉口時は板状の壁に囲まれた箱状である。把手基部２は後壁４に連結されていて、把手基部２から斜め上へ伸びた支え３により、鞄の直立時の重心直上に把手１が保持されている。上壁５はヒンジ９を介して前壁上部６に連結されている。前壁上部６はヒンジ１０を介して前壁下部７に連結されている。これらのヒンジ９、１０は、連結対象部品の対向する位置を中心とする回転動作を可能にするものであり、例えば弾性体の柔軟性を利用して屈曲させるものでもよいし、非弾性体が軸を中心に回転するものでもよい。ヒンジ９、１０を介した回転動作により、上壁５および前壁上部６は図３に示すように前壁下部７に寄り添う位置へ移動可能であり、閉口時に上壁５、前壁上部６のあった位置が開口部となる。上壁５は単独では把手基部２を囲まない形状であり、上壁５、前壁上部６の移動が、把手１を把持する手により妨げられない。これにより、把手１を持ち替えることなく開閉できる。【００１５】  なお、使用者の意に反して開口することのないよう、上壁５、前壁上部６は留具（図示せず）により着脱自在に固定される。例えば、閉口時に上壁５、前壁上部６と側壁８とが接する位置に磁石を設けることができる。上壁５、前壁上部６の固定をより確実にするため、錠前として機能する要素を磁石の代わりに、または磁石に加えて設けてもよい。
【実施例２】
【００１６】  実施例１に示した特徴に加え、上壁５が移動する軌跡を定める部品を有する形態の実施例を図４、図５に示す。図４は開閉途中、図５は開口時の状態を示す。アーム１１は、側壁８に対して垂直な回転軸１３を中心として回転可能であるように側壁８に連結されており、また、側壁８に対して垂直な別の回転軸１４を有するヒンジ１２を介して上壁５に連結されている。アーム１１およびヒンジ１２の形状、寸法、位置は、閉口時、開閉途中、開口時の上壁５の位置が適切に定まるように設定されている。これにより、上壁５が移動する軌跡が定まり、開閉動作がより安定的になる。なお、閉口時の外観は実施例１に示した図２と同じである。
【実施例３】
【００１７】  実施例２に示した特徴に加え、開口をより大きくする位置へ把手１が移動可能である形態の実施例を図６に示す。側壁８に対して垂直な回転軸１５を中心として、把手１および支え３が後壁４側へ回転移動可能である。さらに、この回転移動の固定と解除とを自在にする要素（図示せず）を把手基部２および支え３に有する。これにより、把手１を鞄の重心直上に固定した状態で把持して吊り下げることができ、把手１を把持して吊り下げていない時には、より大きな開口が得られ、被収納物の出し入れがさらに容易になる。図６は把手１および支え３を後壁４側へ移動させた状態を示す。
【符号の説明】
【００１８】  １  把手
２  把手基部
３  支え
４  後壁
５  上壁
６  前壁上部
７  前壁下部
８  側壁
９  ヒンジ
１０  ヒンジ
１１  アーム
１２  ヒンジ
１３  回転軸
１４  回転軸
１５  回転軸
【図１】
0006435534.tif 000002
【図２】
0006435534.tif 000003
【図３】
0006435534.tif 000004
【図４】
0006435534.tif 000005
【図５】
0006435534.tif 000006
【図６】
0006435534.tif 000007